(57)【要約】【課題】コンバインの機体に掛ける機体用シートを支持する支持装置を軽くしたり、又、掛けやすい構成としようとするものである。【解決手段】コンバイン１の機体１ａを覆う機体用シート１０を掛けるとき、及び掛けた後に、該機体用シート１０を支持する支持装置１１は、穀粒貯留タンク７内の穀粒を機外へ排出する排出オーガ９の前後両端側に設けた構成である。又、各支持装置１１は、機体１ａの任意位置（イ）へ収納可能に設けると共に、収納時には、収縮可能に構成した。更に各支持装置１１は、機体１ａの全巾（Ｌ）と同じ巾（Ｌ）か、又は若干広巾（Ｌ１）に構成した。【選択図】図１
2004337023.tif 000002
【特許請求の範囲】
【請求項１】
走行装置３と、刈取機４と、脱穀機５と、エンジン６と、穀粒貯留タンク７内の貯留穀粒を機外へ排出する前後方向へ旋回自在で前後方向に設けた排出オーガ９等とで形成される機体１ａと、該機体１ａを覆う機体シート１０等よりなるコンバインにおいて、前記機体１ａへ機体用シート１０を掛けるとき、及び掛けた後に、該機体用シート１０を支持する支持装置１１は、排出オーガ９の前後両端部側へ設けたことを特徴とするコンバインの機体シート装着装置。
【請求項２】
前記各支持装置１１は、機体１ａの任意位置（イ）へ収納可能に設けたことを特徴とする請求項１に記載のコンバインの機体シート装着装置。
【請求項３】
前記各支持装置１１は、機体１ａの全巾（Ｌ）と同じ巾（Ｌ）か、又は、若干広巾（Ｌ１）に形成すると共に、収納時には、収縮可能に設けたことを特徴とする請求項１、又は請求項２に記載のコンバインの機体シート装着装置。
【発明の詳細な説明】
【０００１】
【発明の属する技術分野】
この発明は、コンバインの機体を覆う機体用シートを掛けるとき、及び掛けた後に、該機体用シートを支持する支持装置は、穀粒貯留タンク内の貯留穀粒を機外へ排出する排出オーガの前後両端側へ設けた技術であり、コンバインの機体シート装着装置として利用できる。
【０００２】
【従来の技術】
コンバインで、穀稈を収穫作業中に日暮となり、収穫作業を中止したとき、及び収穫作業が終了して、翌日は近くの圃場を収穫作業するとき等は、このコンバインは、圃場へおいておくことがある。このときは、特に、特開平９−３１３０２７公報に記載の如く穀粒貯留タンク内の貯留穀粒を機外へ排出する排出オーガの上側に設けた機械シート収納装置の巻取りシャフトへ巻き回したシートは、左右両側の押え棒体がスプリングで押圧されていることにより、押圧されて支持されているが、ハンドルの回動操作により、シートは下方へ向かって巻き出しされて、コンバインの機体の左右両側は、覆われてカバーされる。機体は雨等が降ったときであっても、雨から保護される。
【０００３】
【特許文献１】
特開平９−３１０３０２７公報
【０００４】
【発明が解決しようとする課題】
コンバインの機体を形成する排出オーガには、常時シートを有する機械シート収納装置が載置されていることにより、機体全体の重量が重くなり、コストアップになる。又、排出オーガを必要以上に強度アップが必要になる。更にこの機械シート装置の構成が複雑であり、コストアップになること等があったが、この発明により、これらの問題点を解決しようとするものである。
【０００５】
【課題を解決するための手段】
このために、この発明は、請求項１に記載の発明においては、走行装置３と、刈取機４と、脱穀機５と、エンジン６と、穀粒貯留タンク７内の貯留穀粒を機外へ排出する前後方向へ旋回自在に前後方向に設けた排出オーガ９等とで形成される機体１ａと、該機体１ａを覆う機体シート１０等よりなるコンバインにおいて、前記機体１ａへ機体用シート１０を掛けるとき、及び掛けた後に、該機体用シート１０を支持する支持装置１１は、排出オーガ９の前後両端部側へ設けたことを特徴とするコンバインの機体シート装着装置としたものである。
【０００６】
走行装置３と、刈取機４と、脱穀機５と、エンジン６と、穀粒貯留タンク７内の貯留穀粒を機外へ排出する前後方向に設けた排出オーガ９等により、機体１ａが形成されたコンバインで穀稈を収穫作業中に日暮となり、収穫作業を中止したとき、及び収穫作業が終了して、翌日は近くの圃場を収穫作業するとき等は、このコンバインは、圃場へおいて置くことがあるが、このときには、排出オーガ９を後方へ旋回操作して、この排出オーガ９の前後両側端部へ装着して設けた支持装置１１へ機体用シート１０を掛けて、支持させた後に、排出オーガ９を前方へ旋回操作して、機体用シート１０が各支持装置１１から垂れ下がった状態にして、このコンバインの機体１ａを機体用シート１０で覆ってカバーする。この機体１ａは雨が降ったときであっても、雨から保護することができる。
【０００７】
請求項２に記載の発明においては、前記各支持装置１１は、機体１ａの任意位置（イ）へ収納可能に設けたことを特徴とする請求項１に記載のコンバインの機体シート装着装置としたものである。
前記コンバインの機体１ａを形成すべく設けた排出オーガ９の前後両側に設けた各支持装置１１で機体用シート１０を支持させて、機体１ａの上側の各支持装置１１で機体用シート１０を支持させて、機体１ａへ機体用シート１０を掛けてカバーする。カバーしたこの機体用シート１０を取り外して、通常の穀稈刈取り作業を行うときには、各支持装置１１を排出オーガ９から取り外して、この各支持装置１１を機体１ａの任意位置（イ）である。例えば、脱穀機５の上側面等へ収納可能に載置して収納し、コンバインで穀稈の刈取り作業を行う。
【０００８】
請求項３に記載の発明においては、前記各支持装置１１は、機体１ａの全巾（Ｌ）と同じ巾（Ｌ）か、又は、若干広巾（Ｌ１）に形成すると共に、収納時には、収縮可能に設けたことを特徴とする請求項１、又は請求項２に記載のコンバインの機体シート装着装置としたものである。
【０００９】
前記コンバインの機体１ａを形成すべく設けた排出オーガ９の前後両側に設ける各支持装置１１は、機体１ａの全巾（Ｌ）と同じ巾（Ｌ）か、又は若干広巾（Ｌ１）に形成して、排出オーガ９の前後両側へ設けている。又、この各支持装置１１を、例えば、脱穀機５の上側面等へ収納するときは、収縮操作して、この脱穀機５の上側面へ載置して、コンバインで穀稈の刈取り作業を行う。
【００１０】
【発明の効果】
請求項１に記載の発明においては、コンバインの機体１ａへ機体用シート１０を掛けるとき、及び掛けた後に、該機体用シート１０を支持する各支持装置１１は、排出オーガ９の前後両端側へ設けたことにより、機体用シートは容易に機体１ａへ掛けて、カバーすることができる。
【００１１】
請求項２に記載の発明においては、前記各支持装置１１は、刈取り収穫作業を行うときには、機体１ａの任意位置（イ）である。例えば、脱穀機５の上側面等へ収納可能に設けたことにより、穀稈を収穫作業時に、移送穀稈の邪魔になることを防止できる。
【００１２】
請求項３に記載の発明においては、前記各支持装置１１は、機体１ａの全巾（Ｌ）と同じ巾（Ｌ）か、又は若干広巾（Ｌ１）に形成すると共に、収納時は、収縮可能に設けたことにより、コンバインの機体１ａへ機体用シート１０を掛けよくなると共に、穀稈の収穫作業時に、移送穀稈の邪魔になることを防止できる。
【００１３】
【発明の実施の形態】
以下、本発明の一実施例を図面に基づいて説明する。
コンバイン１の機体１ａは、走行車台２の下部の走行装置３と、前方部の刈取機４と、上部の脱穀機５と、エンジン６と、穀粒貯留タンク７内の穀粒を機外へ排出する前後方向に設けた排出オーガ９等で形成された構成である。又、機体１ａを覆う機体用シート１０を設けると共に、この機体用シート１０を掛けるとき、及び、掛け後に、この機体用シート１０を支持する支持装置１１を、排出オーガ９の前後両端側へ着脱自在に設けた構成である。これら機体シート１０、排出オーガ９、及び各支持装置１１を主に図示して説明する。
【００１４】
前記コンバイン１の走行車台２の下側には、図１、及び図７で示す如く土壌面を走行する左右一対の走行クローラ３ａを張設した走行装置３を配設し、走行車台２の前方部には、立毛穀稈を刈取りして、後方上部へ移送する刈取機４を配設し、走行車台２の上側には、刈取機４で後方上部へ移送された刈取り穀稈を、フィードチェン５ａと、挟持杆５ｃとで引継ぎ挟持移送中に脱穀する脱穀機５を載置した構成である。この脱穀機５で脱穀された脱穀済み穀粒は、この脱穀機５の右横側へ配設した穀粒貯留タンク７内へ脱穀機５で揚送供給されて、一時貯留される構成である。
【００１５】
前記穀粒貯留タンク７内へ貯留した穀粒を機外へ排出するこの穀粒貯留タンク７の後側には、縦移送螺旋８ａを内装した排出支持筒８を略垂直姿勢で旋回自在に装着して設け、この排出支持筒８の上端部には、その全長がコンバイン１の前後長に亘る機外へ穀粒を排出する排出螺旋９ａを伸縮自在に内装した排出オーガ９を伸縮自在、上下回動自在、及び左右旋回自在に前後方向に配設した構成である。
【００１６】
前記穀粒貯留タンク７側の前方部で、走行車台２の上側には、コンバイン１を運転操作する操作装置１２ａと、運転作業者が搭乗して、この操作装置１２ａを操作する操縦席１２ｂを設けた構成であり、これら操作装置１２ａ、及び操縦席１２ｂは、運転操作キャビン１３へ内装した構成である。操縦席１２ｂの下側で、走行車台２の上側には、エンジン６を載置した構成である。
【００１７】
前記コンバイン１の機体１ａを覆う機体用シート１０は、取り外し自在に設けた構成である。この機体用シート１０は、図６で示す如く長方形状で箱形状の箱体に形成し、上下方向四隅部には、ファスナ１０ａを設けて、天部部に対して、下側の四面部を開閉自在な構成である。
【００１８】
前記コンバイン１の機体１ａを圃場、及び路上へおいて置くときには、この機体１ａへ機体用シート１０を掛けて、この機体１ａを覆ってカバーするが、この機体用シート１０を掛ける前段では、図１〜図５で示す如く排出オーガ９の外周上側部の前後両端の近傍部には、丸棒材、又は角棒材よりなる支持棒１１ａと、この支持棒１１ａの両端部に装着して、機体用シート１０を掛けるときに滑りを良好にするキャップ１１ｂ等とよりなる支持装置１１を設けると共に、支持棒１１ａの外周下側面へ固着して設けた支持ピン１１ｃを、排出オーガ９の外周上側面へ旋挿入し、ナット１１ｄで固着して、各支持装置１１を排出オーガ９の前後両端部へ装着した構成である。
【００１９】
前記機体用シート１０のファスナ１０ａを開操作して、この機体用シート１０を一部除いて開き状態にして、コンバイン１の機体１ａの上側部の排出オーガ９を、図３、及び図４で示す如く後方へ旋回操作し、この排出オーガ９の前後両端部側近傍へ設けた各支持装置１１の各支持棒１１ａへ機体用シート１０を乗せると共に、この機体用紙シート１０の裏側面に設けた支持具１０ｃ内へ挿入し、更に機体用シート１０を折り返した状態にして、更にこの機体用シート１０の下部側へ設けた着脱自在テープ１０ｂで折り返し状態の箇所を止める。その後に排出オーガ９を前方へ旋回操作し、着脱自在テープ１０ｂをはがし操作し、機体１ａの前後両側部、及び左右両側部へ機体用シート１０を垂れ下がった状態にして、その後に、この機体用シート１０のファスナ１０ａを閉操作すると、機体１ａが覆われてカバーされる構成である。コンバイン１を放置状態のときに、雨が降っても、このコンバイン１の機体１ａを雨から保護することができる構成である。
【００２０】
前記コンバイン１の機体１ａへ機体用カバー１０を掛けるとき、及び掛けた後に、この機体用シート１０を支持する支持装置１１は、排出オーガ９の前後両端部側へ設けたことにより、機体用シート１０を容易に機体１ａへ掛けて、カバーすることができる。
【００２１】
前記各支持装置１１を、排出オーガ９の前後両端部側から取り外したときには、この各支持装置１１の各支持棒１１ａは、コンバイン１の機体１ａの任意位置（イ）である。例えば、脱穀機５の上側部に設けた扱胴カバー５ａの上側面の前後に、板バネ材による受具１４を、左右方向に二列設けて、この二列の各受具１４へ各支持棒１１ａを挿入して、収納可能に支持させた構成である。この各支持棒１１ａは、強く引き操作すると、各受具１４から外すことができるが、自然に抜けない構成である。
【００２２】
前記各支持装置１１の各支持棒１１ａは、穀稈を刈取り作業するときには、排出オーガ９から取り外して、各支持棒１１ａは、機体１ａの任意位置（イ）である。例えば、脱穀機５の上側面へ収納可能に設けたことにより、穀稈の収穫作業時に、移送穀稈の邪魔になることを防止できる。
【００２３】
前記各支持装置１１の各支持棒１１ａは、図１で示す如く機体１ａの全巾（Ｌ）と、略同じ巾（Ｌ）とするか、又は若干広巾（Ｌ１）に形成して設けた構成である。この各支持棒１１ａは収納時には、左右両側部は中央部へ向けて収縮可能に構成して、脱穀機５の扱胴カバー５ａの上側面へ収納するときは、この扱胴カバー５ａの前後部内へ収納できる構成である。
【００２４】
前記各支持装置１１の支持棒１１ａは、機体１ａの全巾（Ｌ）と略同じ巾（Ｌ）か、又は若干広巾（Ｌ１）に形成すると共に、排出オーガ９から取り外して、収納時には、収縮可能に構成して設けたことにより、コンバイン１の機体１ａへ機体用シート１０を掛けよくなると共に、穀稈の収穫作業時に、移送穀稈の邪魔になることを防止できる。
【００２５】
前記機体用シート１０の四隅の縦部には、ファスナ１０ａを設けて、天井部の下側の四面部は開閉自在な構成である。又、排出オーガ９の前後両端部に支持装置１１を設けた構成である。又、排出オーガ９を後方へ旋回操作後に、各支持装置１１へ機体用シート１０を開状態にして、装着する構成である。又、この排出オーガ９を元位置の前方へ旋回操作し、機体用シート１０を広げて、四隅をファスナ１０ａで閉じる構成である。又、各支持装置１１は着脱自在な構成である。
【００２６】
これにより、前記機体用シート１０をコンバイン１の機体１ａの上部へ簡単に掛けることができる。又、掛ける労力が軽減される。更に各支持装置１１を着脱することで、穀稈の収穫作業には、支障をきたすことがない、
前記排出オーガ９の上側には、図７で示す如く支持枠１５を設ける構成であり、この支持枠１５の一方側端部には、支持板１５ａと、位置決め板１５ｂとを固着して設け、この支持板１５ａを、排出オーガ９端部の穀粒を機外へ排出する排出口を有する排出筒９ｂ部へ装着すると共に、他方側端部近傍部は、排出オーガ９の基部側に設けた支持具９ｃで支持した構成である。
【００２７】
前記機体用シート１０の内側面の複数箇所に、紐１６を装着した構成である。機体用シート１０をコンバイン１の機体１ａへ掛けるときには、このコンバイン１の排出オーガ９を機体１ａの後方部へ旋回操作し、この排出オーガ９の上側に設けた支持枠１５へ機体用シート１０に設けた紐１６でこの機体用シート１０を結び付け、この機体用シート１０を装着して、下部の四側面部を巻き付け、紐等で仮締め付けを行う。その後に排出オーガ９を機体１ａの前方部へ旋回操作し、仮締め付けをほどいて、機体１ａへ機体用シート１０の下部四側面部を垂れ下がらせて、縦方向四隅のファスナ１０ａを閉操作すると、機体１ａはカバーされる構成である。
【００２８】
これにより、強風時でも、前記機体用シート１０をコンバイン１の機体１ａの上部へ上げることができる。このために、機体用シート１０を掛ける労力を軽減されると共に、一人で掛けることができる。
前記機体用シート１０の天井部を支持する樹脂材等の軽量材でなる支持枠１７は、図８〜図１０で示す如く左・右支持棒１７ａ，１７ｂと、中支持棒１７ｃと、前・後支持棒１７ｄ，１７ｅとにより、箱形状の箱体に形成し、前支持棒１７ｄの下側には、前支持板１８ａを所定間隔で設けると共に、中支持棒１７ｃの下側には、後支持板１８ｂを所定間隔に設けた構成である。前支持板１８ａ，１８ａ間は、排出オーガ９の前端部の排出筒９ｂ部へ挿入すると共に、後支持板１８ｂ，１８ｂ間は、排出オーガ９の基部に設けた支持具９ｃ部へ挿入して、支持枠１７を排出オーガ９の上側へ装着して設けた構成である。
【００２９】
前記コンバイン１の機体１ａへ機体用シート１０を掛けるときには、機体１ａの上側の排出オーガ９を機体１ａの後側へ旋回操作し、排出オーガ９の上側に設けた支持枠１７上へ機体用シート１０のファスナ１０ａを開操作して、開き状態になった機体用シート１０を天井部へ乗せて、四方の側面部を折り曲げて、天井部の上側へ重合させて、その後に排出オーガ９を機体１ａの上側へ位置するように前方へ旋回操作し、機体用シート１０の四方の側面部を垂れ下がり状態にして、縦方向四隅のファスナ１０ａを閉操作すると、機体１ａは機体用シート１０により、カバーされる構成である。
【００３０】
これにより、前記機体用シート１０を、コンバイン１の機体１ａの上部へ簡単に上げることができる。又、機体用シート１０を掛ける労力を大巾に減少させることができる。更に一人でのシート掛け作業ができる。
前記支持枠１７の左・右支持棒１７ａ，１７ｂは、図１１〜図１６で示す如く複数個に分割し、支持ピン１７ｆで接合し、折り畳み自在な構成である。
【００３１】
前記コンバイン１の機体１ａへ機体用シート１０を掛けるときには、排出オーガ９を機体１ａの後方へ旋回操作して、支持枠１７へ機体用シート１０のファスナ１０ａを開操作して、開状態になったこの機体用シート１０を掛け、支持枠１７と、機体用シート１０とを同時に折り畳み、排出オーガ９へ載置して、その後に両者を開操作し、排出オーガ９を機体１ａの前方へ旋回操作して、機体用シート１０の四方の側面部を垂れ下がり状態にして、縦方向四隅のファスナ１０ａを閉状態にすると、機体１ａは機体用シート１０により、カバーされる構成である。
【００３２】
これにより、前記機体用シート１０を、コンバイン１の機体１ａの上部へ簡単に上げることができる。又、機体用シート１０を掛ける労力を大巾に減少させることができる。更に一人でのシート掛け作業ができる。
前記コンバイン１の機体１ａを覆って、この機体１ａをカバーする機体用シート１０は、図１８〜図２０で示す如く傘方式の折り畳み方式の支持装置１９に設けた複数の上支持杆１９ｂへ装着して設けた構成である。又、この支持杆１９ｂは、支持主柱１９ａへ装着して折り畳み自在な構成である。
【００３３】
前記支持装置１９の支持主柱１９ａは、図１９、及び図２０で示す如くコンバイン１の運転操作キャビン１３の内側上部へ設けた支持具１３ａへ挿入自在に設けた構成である。コンバイン１の機体１ａをカバーするときには、支持装置１９を運転キャビン１３へ設けた支持具１３ａへ装着して、開操作することにより、機体１ａをカバーすることができる構成である。
【００３４】
これにより、簡単な装着、及び操作により、コンバイン１の機体１ａをカバーすることができる。
前記コンバイン１の機体１ａの右横側で運転キャビン１３、及び穀粒貯留タンク７側には、図２１で示す如く送風機２０を設けた構成である。袋状にして設けた機体用シート２１を、コンバイン１の機体１ａへ掛けるときには、送風機２０を始動操作し、この送風機２０から発生する起風を、機体用シート２１へ吹き込み、この機体用シート２１を膨らませて、送風機２０を停止操作し、コンバイン１の送風機２０側より、膨らんだ機体用シート２１を機体１ａへ掛ける構成である。又、送風機２０はバッテリー２２により、駆動する構成であると共に、着脱自在な構成である。
【００３５】
これにより、前記機体用シート２１を強制的に送風機２０で膨らませて、コンバイン１の機体１ａへ掛けることにより、容易に掛けることができる。又、送風機２０で機体用シート２１を膨らませることにより、容易に膨らませることができる。更に送風機２０はバッテリー２２で駆動により、機体用シート２１を掛けるときには、エンジン６の始動操作が不用である。
【００３６】
前記エンジン６のマフラー６ａのテールパイプ６ｂには、図２２で示す如くこのテールパイプ６ｂへ接続するコネクタ２３を設け、このコネクタ２３二は、簡易機体用シート２４（風船式）へ接続させた接続用チューブ２５を設けた構成である。
【００３７】
前記エンジン６の排気をマフラー６ａと、テールパイプ６ｂと、コネクタ２３と、接続用チューブ２５とを経て、簡易機体用シート２４へ送風する構成である。
これにより、前記簡易機体用シート２４をエンジン６の排気を利用して、膨らませることができる。
【００３８】
前記簡易機体用シート２４（風船式）は、図２３、及び図２４で示す如くコンバイン１の機体１ａの左右両側、及び前後両側には、複数個の縦チューブ２４ａを設けると共に、機体１ａの上側には複数個の横チューブ２４ｂを設け、これら両側の各縦チューブ２４ａと、各横チューブ２４ｂとは、左右両側の接手チューブ２４ｃで接続した構成であると共に、一方側で端部の縦チューブ２４ａには、接続チューブ２５を設け、この接続チューブ２５はコネクタ２３へ接続させて設けた構成である。
【００３９】
前記エンジン６の排気は、簡易機体用シート２４の左右両側、及び前後両側の各縦チューブ２４ａ、及び各横チューブ２４ｂへ吸入されて、膨らむ構成である。又、簡易機体用シート２４を取り外して収納時には、各チューブ２４ａ，２４ｂの境が折り目となり、折り畳み自在な構成である。
【００４０】
これにより、前記簡易機体用シート２４の剛性アップを図ることができる。又、取り外して収納時に折り畳みが容易である。
前記エンジン６の排気により、膨らませる簡易機体用シート２４は、図２５で示す如く上側の各横チューブ２４ｂの一方側で、この横チューブ２４を連ねる側に沿って、前後方向の略端部位置まで、ファスナ２４ｄを設けて、このファスナ２４ｄの開操作により、内部の空気を排出する構成である。
【００４１】
これにより、前記簡易機体用シート２４を収納するときに、ファスナ２４ｄを開操作することにより、内部の空気を簡単に抜くことができる。
前記簡易機体用シート２４の前後両側の一方側には、図２５で示す如く回動具２６，２６を設けて、前後端部の各縦チューブ２４ａは、一体で前後方向へ開閉自在に設けた構成である。
【００４２】
これにより、前記コンバイン１を出し入れするときには、簡易機体用シート２４の前後側いずれか一方側を開操作することにより、容易にコンバイン１の出し入れができる。又、この簡易機体用シート２４を収納時には、展開すると一平面になることにより、折り畳みが容易である。
【００４３】
前記簡易機体用シート２４の天井部は、図２４で示す如く継手チューブ２４ｃ部で分割可能とした構成であると共に、前後両側は、図２５で示す如く回動具２６部で分割可能とした構成である。
これにより、前記簡易機体用シート２４は、折り畳みが容易である。又、箱状に形成することができる。
【００４４】
前記簡易機体用シート２４の前後両側、及び左右両側の下端部は、図２３、及び図２４で示す如くエンジン６の排風を送風する排風通路を形成すると共に、下端部の地面と接する面は、略平面状に形成した構成である。
これにより、前記簡易機体用シート２４の剛性アップを図ることができる。又、この簡易機体用シート２４の起立が容易になる。
【００４５】
機体用シート２７は、図２６〜図２８で示す如く長方形状の箱体に形成し、前後両側には、開閉窓２７ａをファスナ２７ｂにより、開閉自在な構成である。又、天井部３１ａ、及び左右両側部３１ｂには、樹脂材等よりなるホース２７ｃを、図２７で示す如く支持板２８ａで支持した構成である。隅部には、ホース２７ｃを、図２８で示す如く隅支持板２８ｂで支持させた構成である。
【００４６】
前記左右両側部３１ｂのいずれか一方の側部３１ｂの前部には、ホース２７ｃへ接続する吸入ホース２９を設け、この吸入ホース２９の中間部には、箱体３０を設け、この箱体３０内には、チェックバルブ３０ａ、コック３０ｂ、及びリリーフバルブ３０ｃ等を設けた構成である。吸入ホース２９の端部には、ラッパ状の吸入具２９ａを設けた構成である。
【００４７】
前記エンジン６の排気を吸入具２９ａから吸入ホース２９を経て、ホース２７ｃへ送風する構成である。
これにより、前記エンジン６の排気により、機体用シート２７を自立させた後に、コンバイン１を走行させて、機体用シート２７内へ入れ、その後にコック３０ｂを開操作して、空気を抜くことにより、コンバイン１へ機体用シート２７をカバーすることができて、簡単にカバーすることができる。
【００４８】
コンバイン３２は、図２９、及び図３０で示す如くこのコンバイン３２の穀粒貯留タンク３３内へ脱穀済み穀粒を貯留した、この穀粒を機外へ排出する穀粒排出装置３４を設け、この穀粒排出装置３４には、送風機３５から発生する起風を送風して、空気搬送で穀粒を機外へ排出する構成である。
【００４９】
前記コンバイン３２の機体３２ａを覆ってカバーする機体用カバー３６は、二重構成で箱形状に構成して、この二重部には、空気を送風して膨らませる構成であると共に、一方側（後部側）の後側壁３６ａの左右両側には、ファスナ３６ｂを設けて開閉自在な構成である。
【００５０】
前記機体用カバー３６の右側壁３６ｃの下部と、穀粒排出装置３４とは、送風パイプ３７を設けて接続した構成である。穀粒排出装置３４と、送風パイプ３７との接合部には、切換バルブ３８を設け、この切換バルブ３８の切換操作により、穀粒を排出する穀粒排出装置３４側、又は機体１ａをカバーする機体用カバー３６側へ送風機３５の起風を切換えて送風する構成である。
【００５１】
これにより、穀粒を機外へ排出用の空気を共用使用することにより、コスト低減になる。又、機体用カバー３６を二重構成としたことにより、強度アップとなった。更にコンバイン３２の機体３２ａへのカバーが一人作業で行うことができる。
【図面の簡単な説明】
【図１】コンバインの支持装置取付部の平面図
【図２】コンバインの支持装置取付部の正面図
【図３】コンバインの機体用シート装着途中時の平面図
【図４】図３のＡ−Ａ断面図
【図５】コンバインの機体用シート装着途中時の正面図
【図６】機体用シートの全体側面斜視図
【図７】他の実施例を示す図で、コンバインの機体用シート装着途中時の側面図
【図８】他の実施例を示す図で、コンバインの支持枠の全体平面図
【図９】他の実施例を示す図で、コンバインの機体用シート装着途中時の側面図
【図１０】他の実施例を示す図で、コンバインの機体用シート装着時の側面図
【図１１】他の実施例を示す図で、コンバインの支持枠の全体平面図
【図１２】他の実施例を示す図で、コンバインの機体用シート装着途中時の側面図
【図１３】他の実施例を示す図で、コンバインの機体用シート装着時の側面図
【図１４】他の実施例を示す図で、機体枠の折り畳み途中時の側面図
【図１５】他の実施例を示す図で、機体用シートと、支持枠との折り畳み時の側面斜視図
【図１６】他の実施例を示す図で、機体用シートと、支持枠との折り畳み時の側面斜視図
【図１７】他の実施例を示す図で、支持装置と、機体用シートとの側面斜視図
【図１８】他の実施例を示す図で、支持装置と、機体用シートとの折り畳み時の側面図
【図１９】他の実施例を示す図で、コンバインの機体用シート装着時の平面図
【図２０】他の実施例を示す図で、コンバインの支持装置取付時の側面図
【図２１】他の実施例を示す図で、コンバインと、機体用シートとの正面図
【図２２】他の実施例を示す図で、コンバインのエンジン排風の取出し部の側面図
【図２３】他の実施例を示す図で、コンバインの簡易機体用シート装着時の側面図
【図２４】他の実施例を示す図で、コンバインの簡易機体用シート装着時の背面図
【図２５】他の実施例を示す図で、コンバインの簡易機体用シート装着時の平面図
【図２６】他の実施例を示す図で、コンバインの機体用シートの側面斜視図
【図２７】他の実施例を示す図で、図２６のＢ−Ｂ断面図
【図２８】他の実施例を示す図で、図２６のＣ−Ｃ断面図
【図２９】他の実施例を示す図で、コンバインと、機体用シートとの側面図
【図３０】他の実施例を示す図で、コンバインと、機体用シートとの正面図
【符号の説明】
１ａ    機体
３      走行装置
４      刈取機
５      脱穀機
６      エンジン
７      穀粒貯留タンク
９      排出オーガ
１０    機体用シート
１１    支持装置
（イ）    任意位置
（Ｌ）    全巾・同じ巾
（Ｌ１）  若巾広巾
【図１】
2004337023.tif 000003
【図２】
2004337023.tif 000004
【図３】
2004337023.tif 000005
【図４】
2004337023.tif 000006
【図５】
2004337023.tif 000007
【図６】
2004337023.tif 000008
【図７】
2004337023.tif 000009
【図８】
2004337023.tif 000010
【図９】
2004337023.tif 000011
【図１０】
2004337023.tif 000012
【図１１】
2004337023.tif 000013
【図１２】
2004337023.tif 000014
【図１３】
2004337023.tif 000015
【図１４】
2004337023.tif 000016
【図１５】
2004337023.tif 000017
【図１６】
2004337023.tif 000018
【図１７】
2004337023.tif 000019
【図１８】
2004337023.tif 000020
【図１９】
2004337023.tif 000021
【図２０】
2004337023.tif 000022
【図２１】
2004337023.tif 000023
【図２２】
2004337023.tif 000024
【図２３】
2004337023.tif 000025
【図２４】
2004337023.tif 000026
【図２５】
2004337023.tif 000027
【図２６】
2004337023.tif 000028
【図２７】
2004337023.tif 000029
【図２８】
2004337023.tif 000030
【図２９】
2004337023.tif 000031
【図３０】
2004337023.tif 000032